(57)【要約】      （修正有）【課題】市販されているカードケースをカレンダーとして機能させる事により、単なる入れ物でしかなかったカードケースの付加価値を高め、また、収納物の絵葉書等をカレンダーの絵柄として楽しむ事も出来る。【解決手段】市販されているカードケースの印刷可能な部分に、日曜日から始まり月曜日で終わる様に配列した３７曜日を一列に印刷し、これに合わせて通年カレンダー用粘着シールの西暦、月、日付、祝祭日、記念日を任意に貼付ける事により、市販されているカードケースをカレンダーとして機能させる。【選択図】図３
0003136684.tif 000002
【実用新案登録請求の範囲】
【請求項１】
市販されているカードケース（例えば卓上スタンド型や壁掛け型等）自体をカレンダーとして使用可能にする事を目的としている。
市販されているカードケースの印刷可能な部分に、日曜日から始まり月曜日で終わる様に配列した３７曜日を一列に印刷し、これに合わせて意匠登録第１１８０４４２の通年カレンダー用粘着シールの西暦、月、日付、祝祭日、記念日を任意に貼付ける事により、市販されているカードケースをカレンダーとして機能させるものである。
【考案の詳細な説明】
【技術分野】
【０００１】  本考案はカレンダーとして使用する市販のあらゆるケースに関する。
【背景技術】
【０００２】  現在市販されている卓上スタンド型や壁掛け型のケースはいずれも、絵葉書やカレンダーなどを入れる入れ物としての役割しか果たしていない物が多い。
【考案の開示】
【考案が解決しようとする課題】
【０００３】  市販されているカードケースをカレンダーとして機能させる事により、単なる入れ物でしかなかったカードケースの付加価値を高め、また、収納物の絵葉書等をカレンダーの絵柄として楽しむ事も出来る。
【課題を解決するための手段】
【０００４】  市販されているカードケースの印刷可能な部分に、日曜日から始まり月曜日で終わる様に配列した３７曜日を一列に印刷し、これに合わせて意匠登録第１１８０４４２の通年カレンダー用粘着シールの西暦、月、日付、祝祭日、記念日を任意に貼付ける事により、市販されているカードケースをカレンダーとして機能させるものである。
【考案の効果】
【０００５】  単なる入れ物でしかなかった市販されているカードケースに、カレンダーにもなるという付加価値が付く事により、広告物としての可能性が見出される。会社案内や観光案内等のリーフレットを収納すれば、一年中宣伝し続ける広告媒体になる。収納物をカレンダーとして作成する必要はなく、既存の物をそのまま使用出来るためコスト削減に役立つ。【０００６】  また、使用者が任意で選んだ絵葉書や写真等も、手軽にカレンダーの絵柄として楽しめる様になる。
【考案を実施するための最良の形態】
【０００７】  ［図１］の様に、市販されているカードケースの印刷可能な部分に、日曜日から始まり月曜日で終わる様に配列した３７曜日を一列に印刷する。【０００８】  ［０００７］に合わせて、［図２］の様に、意匠登録第１１８０４４２の通年カレンダー用粘着シールの西暦、月、日付、祝祭日、記念日を任意に貼付ける。
【図面の簡単な説明】
【０００９】
【図１】は、市販されているカードケースの印刷可能な部分に、日曜日から始まり月曜日で終わる様に配列した３７曜日を一列に印刷した平面図である。
【図２】は、［図１］に合わせて、意匠登録第１１８０４４２の通年カレンダー用粘着シールの西暦、月、日付、祝祭日、記念日を任意に貼付けた平面図である。
【図３】は、市販の卓上スタンド型カードケースを用いた場合の、本考案の実施例である。
【図１】
0003136684.tif 000003
【図２】
0003136684.tif 000004
【図３】
0003136684.tif 000005
【手続補正書】
【提出日】平成19年7月27日(2007.7.27)
【手続補正１】
【補正対象書類名】実用新案登録請求の範囲
【補正対象項目名】全文
【補正方法】変更
【補正の内容】
【実用新案登録請求の範囲】
【請求項１】
カードケースの印刷可能な部分に、日曜日から始まり月曜日で終わる様に配列した３７曜日を一列に印刷し、これに合わせてカードケース使用者が西暦、月と日付、祝祭日、記念日がそれぞれ印刷された粘着シールを任意に貼付ける事により、いつからでも使用可能なカレンダーとして機能させることを特徴とするカードケース。
【手続補正２】
【補正対象書類名】明細書
【補正対象項目名】全文
【補正方法】変更
【補正の内容】
【考案の詳細な説明】
【技術分野】
【０００１】  本考案は、あらゆるカードケースに関する。
【背景技術】
【０００２】  現在使用されているカードケースは、いずれも絵葉書やカレンダーなどを入れる入れ物として使用されている。
【考案の開示】
【考案が解決しようとする課題】
【０００３】  しかしながら、従来のカードケースは単なる入れ物でしかなく、絵葉書やカレンダーといった収納物の使用が終了すればカードケースは不要となるなど、その利用は限られたものだった。
【課題を解決するための手段】
【０００４】  カードケースの印刷可能な部分に、図１の１の様に日曜日から始まり月曜日で終わる様に配列した３７曜日を一列に印刷し、これに合わせて図２の２の様にカードケース使用者が西暦、月と日付、祝祭日、記念日がそれぞれ印刷された粘着シール（この粘着シールは意匠登録第１１８０４４２であり、本実用新案出願人が意匠登録済み）を任意に貼付ける事により、単なる入れ物でしかなかったカードケースに、いつからでも使用可能なカレンダーとしての利用価値が付加され、これにより上記課題を解決するものである。
【考案の効果】
【０００５】  本考案で使用するカードケースのサイズに合わせて作成した会社案内や観光案内のリーフレットを収納すれば、一年中宣伝し続ける広告媒体になる。【０００６】  カードケース使用者が任意で選んだ絵葉書や写真等も、カレンダーの絵柄として手軽に楽しめる様になる。
【考案を実施するための最良の形態】
【０００７】  カードケースの印刷可能な部分に、図１の１の様に日曜日から始まり月曜日で終わる様に配列した３７曜日を一列に印刷する。【０００８】  ［０００７］に合わせて図２の２の様にカードケース使用者が西暦、月と日付、祝祭日、記念日がそれぞれ印刷された粘着シール（この粘着シールは意匠登録第１１８０４４２であり、本実用新案出願人が意匠登録済み）を任意に貼付ける。
【図面の簡単な説明】
【０００９】
【図１】は、カードケースの印刷可能な部分に、日曜日から始まり月曜日で終わる様に配列した３７曜日を一列に印刷したカードケースの平面図である。
【図２】は、〔図１〕の１に合わせて、西暦、月と日付、祝祭日、記念日がそれぞれ印刷された粘着シールを任意に貼付けた平面図である。
【図３】は、卓上スタンド型カードケースを用いた場合の、本考案の実施例である。
【符号の説明】
【００１０】１  日曜日から始まり月曜日で終わる様に配列した３７曜日を一列に印刷した部分。
２  西暦、月と日付、祝祭日、記念日がそれぞれ印刷された粘着シールを貼付けた部分。
【手続補正３】
【補正対象書類名】図面
【補正対象項目名】全図
【補正方法】変更
【補正の内容】
【図１】
0003136684.tif 000006
【図２】
0003136684.tif 000007
【図３】
0003136684.tif 000008